(57)【特許請求の範囲】
【請求項１】
普通コンクリート製の下層部とポーラスコンクリート製の上層部とからなる積層構造で前記上層部に上向に開口して設けられた凹形のポット保持部と、前記ポット保持部に囲まれる配置で上下に貫通して設けられた孔状の植栽部とを有する河床設置ブロックを、河床に敷設して、前記河床設置ブロックにより根固工、護床工、水制工を構成すると共に、前記植栽部に、土壌を充填して植物を植栽すると共に、予め植物が植栽されたポーラスコンクリート製の植栽ポットを、前記ポット保持部に挿入して、前記植栽部及び前記植栽ポットの植物により緑化を図る河床緑化工法。
【請求項２】
前記河床設置ブロックを、下層部の両端に相互に対応する形状・配置で設けられている嵌合凸部と嵌合凹部とをそれぞれ嵌合させるとともに、前記下層部の４隅に設けられた連結部により周囲のブロックと連結させて河床に敷設する請求項1に記載の河床緑化工法。
【発明の詳細な説明】
【０００１】
【発明の属する技術分野】
本発明は、プレキャストコンクリートブロックを河床に敷設して、該ブロックに根固工、護床工、水制工等を構成させると共に、該ブロックに植物（水生植物）を保持させて、水流のある川床の緑化を図る川床緑化工法に関する。
【０００２】
【従来の技術】
河川の根固工、護床工、水制工等は、多数のプレキャストコンクリートブロックを河床に敷設して構成されており、このブロックは、一般的には、強度等の点から密実な普通コンクリートにより形成されている。
【０００３】
【発明が解決しようとする課題】
河床に植物を植栽して緑化を図る場合には、水流による植物、土壌の流出等に配慮する必要があるが、上述の根固工、護床工、水制工等のブロックは、普通コンクリートで形成されているため、植物等を保持することが困難であるという問題があった。
【０００４】
本発明は、このような従来の問題に鑑み、根固工、護床工、水制工等を構成するプレキャストコンクリートブロックに植物を保持させて、水流のある川床の緑化を図る川床緑化工法の提供を目的としたものである。
【０００５】
【課題を解決するための手段】
上述の如き従来の問題を解決し、初期の目的を達成するための請求項1に記載の発明の特徴は、普通コンクリート製の下層部とポーラスコンクリート製の上層部とからなる積層構造で前記上層部に上向に開口して設けられた凹形のポット保持部と、前記ポット保持部に囲まれる配置で上下に貫通して設けられた孔状の植栽部とを有する河床設置ブロックを、河床に敷設して、前記河床設置ブロックにより根固工、護床工、水制工を構成すると共に、前記植栽部に、土壌を充填して植物を植栽すると共に、予め植物が植栽されたポーラスコンクリート製の植栽ポットを、前記ポット保持部に挿入して、前記植栽部及び前記植栽ポットの植物により緑化を図る河床緑化工法にある。
【０００６】
また、請求項２に記載の発明の特徴は、前記請求項１の構成に加え、前記河床設置ブロックを、下層部の両端に相互に対応する形状・配置で設けられている嵌合凸部と嵌合凹部とをそれぞれ嵌合させるとともに、前記下層部の４隅に設けられた連結部により周囲のブロックと連結させて河床に敷設することにある。
【０００７】
【発明の実施の形態】
次に本発明の実施の形態を図面について説明する。
【０００８】
河床設置ブロック１０は、図３〜５に示すように、略直方体形に形成されており、上層部１０Ａがポーラスコンクリート製、下層部１０Ｂが密実な普通コンクリート製の二層構造で、根固工、護床工、水制工等として十分な強度を発揮するようになっている。
【０００９】
そして、河床設置ブロック１０には、複数の凹形のポット保持部１５、１５…が、上層部１０Ａに上向に開口して設けられており、孔状の植栽部１６、１６が、ポット保持部１５、１５…に囲まれる配置で、上層部１０Ａ及び下層部１０Ｂに上下に貫通して設けられている。
【００１０】
また、河床設置ブロック１０には、下層部１０Ｂの両端に、嵌合凸部１２と嵌合凹部１３とが、相互に対応する形状、配置で設けられており、下層部１０Ｂの４隅に、略Ｕ字形の鋼材等からなる連結部１８、１８…が、外向に突出して固定されている。
【００１１】
また、植栽ポット２０は、図７に示すように、河床設置ブロック１０のポット保持部１５に対応した形状に形成されており、全体がポーラスコンクリート製で、凹形の植栽部２６が上向に開口して設けられている。
【００１２】
そして、植栽ポット２０には、施工前に予め水流等のない場所において、植物（水生植物）３０が、植栽部２６に土壌材を充填して種子、苗等を入れることによって植栽されており、植物３０の根は、ポーラスコンクリートの微細空隙を貫通して、植栽ポット２０の外面まで伸長した状態になっている。
【００１３】
根固工、護床工、水制工等の施工においては、まず、図２に示すように、河床１に、河床設置ブロック１０、１０…を、それぞれ嵌合凹部１３に嵌合凸部１２を嵌入するように並べて敷設する。そして、図６に示すように、略Ｕ字形の鋼材、ボルト等からなる開閉可能な環状の連結具１９を連結部１８、１８…に通すようにして、河床設置ブロック１０、１０…を相互に連結する。
【００１４】
そして、図１に示すように、植物３０、３０…が根付いた植栽ポット２０、２０…を、それぞれ、河床設置ブロック１０、１０…のポット保持部１５、１５…に挿入して設置する。更に、河床設置ブロック１０、１０…の植栽部１６、１６…に、土壌材等を充填して苗等を入れることによって、植物３０、３０…を植栽する。
【００１５】
すると、植栽ポット２０、２０…の植物３０、３０…は、既に根付いていて水流により流出することがなく、河床設置ブロック１０、１０…の上層部１０Ａのポーラスコンクリートの微細空隙に、更に根を伸長させるようにして好適に成育する。
【００１６】
また、河床ブロック１０、１０…の植栽部１６、１６…の植物３０、３０…は、その周囲に配置された植栽ポット２０、２０…の植物３０、３０…により水流が弱められるので、水流による土砂、苗等の流出が防止され、根を河床１まで伸長ささえるようにして好適に成育する。
【００１７】
従って、根固工、護床工、水制工等を構成する河床設置ブロック１０、１０…により、水流のある河床１に植物３０、３０…を好適に保持することができ、好適に緑化を図ることができる。
【００１８】
【発明の効果】
上述のように、本発明に係る河床緑化工法は、河床に敷設される河床設置ブロックの下層部を普通コンクリート製としたことによって、根固工、護床工、水制工等を構成する河床設置ブロックに十分な強度を持たせることができる。そして、河床設置ブロックの上層部はポーラスコンクリート製としたことによって、植物を根付かせて緑化を図ることができ、更に、この上層部に凹形のポット保持部を上向に開口して設けて、予め植物が植栽されたポーラスコンクリート製の植栽ポットをポット保持部に挿入するようにしたことによって、植物が根付く前に水流により流出することを防止することができる。
【００１９】
また、河床設置ブロックに孔状の植栽部を上下に貫通して設けたことによって、植栽部に土壌等を充填して、より多くの植物を植栽して好適に緑化を図ることができ、また、この植栽部を複数のポット保持部に囲まれる配置することによって、植栽ポットの植物で水流が弱められ、植栽部の土壌や植物の流出を防止することができる。
【図面の簡単な説明】
【図１】  本発明に係る河床緑化工法の実施の形態を示す立面図である。
【図２】  図１中の河床設置ブロックの平面配置図である。
【図３】  図２の河床設置ブロックの拡大平面図である。
【図４】  図３のIV−IV線による縦断面図である。
【図５】  図３のＶ−Ｖ線による縦断面図である。
【図６】  図２の連結具の拡大平面図である。
【図７】  図１中の植栽ポットの拡大縦断面図である。
【符号の説明】
１  河床
１０  河床設置ブロック
１０Ａ  上層部（ポーラスコンクリート）
１０Ｂ  下層部（普通コンクリート）
１２  嵌合凸部
１３  嵌合凹部
１５  ポット保持部
１６  植栽部
１８  連結部
１９  連結具
２０  植栽ポット（ポーラスコンクリート）
２６  植栽部
３０  植物
【図１】
0003731195.tif 000002
【図２】
0003731195.tif 000003
【図３】
0003731195.tif 000004
【図４】
0003731195.tif 000005
【図５】
0003731195.tif 000006
【図６】
0003731195.tif 000007
【図７】
0003731195.tif 000008